(57)【要約】      （修正有）【課題】優れた防水機能を発揮する灯管構造を提供する。【解決手段】防水機能付き灯管構造は、中空の管体１０と、光源板２２と、電源２３と、２つの灯管キャップ２０、３０と、可塑性フィルム２５とを備える。中空の管体は、長尺状をなし、且つ開口端１１、１２を含み、中空の管体内に光源板及び電源が設けられ、２つの灯管キャップはそれぞれ、中空の管体の両端に接合され、可塑性フィルムは中空の管体を被覆している。可塑性フィルムが熱収縮時に中空の管体に完全に密着するので、難燃性、防水性、環境保護性、断熱性、柔軟性等の特性に優れ、一般の灯管に比べて優れた防水機能を発揮する。【選択図】図２
0003218340.tif 000002
【実用新案登録請求の範囲】
【請求項１】
長尺状をなし、且つ開口端を含む中空の管体と
前記中空の管体内に設けられる光源板及び電源と、
前記中空の管体の両端にそれぞれ接合される２つの灯管キャップと、
前記中空の管体を被覆する可塑性フィルムと、を含むことを特徴とする防水機能付き灯管構造。
【請求項２】
前記可塑性フィルムは、熱可塑性であって、熱源の熱を受けて収縮し、前記中空の管体に対し密着するよう覆合されることを特徴とする請求項１に記載の防水機能付き灯管構造。
【請求項３】
前記２つの灯管キャップのうち、一方の前記灯管キャップは穴を備え、他方の前記灯管キャップは穴を備えないことを特徴とする請求項１に記載の防水機能付き灯管構造。
【請求項４】
前記穴は、前記灯管キャップの先端部分に開設されていることを特徴とする請求項３に記載の防水機能付き灯管構造。
【請求項５】
更に、前記穴を備える灯管キャップに連接される防水コネクタを含むことを特徴とする請求項４に記載の防水機能付き灯管構造。
【請求項６】
更に、前記中空の管体内に設けられる長尺の板材を含むことを特徴とする請求項１に記載の防水機能付き灯管構造。
【請求項７】
前記長尺の板材は、アルミニウム製の板材を含むことを特徴とする請求項６に記載の防水機能付き灯管構造。
【請求項８】
前記長尺の板材は、一方の側面に第１の溝体を備え、
前記光源板は、前記第１の溝体に設けられ、前記光源板は複数の発光体を含むことを特徴とする請求項６に記載の防水機能付き灯管構造。
【請求項９】
前記長尺の板材は、他方の側面に前記第１の溝体と離れた位置に設けられた第２の溝体を備え、
前記電源は、前記第２の溝体に設けられることを特徴とする請求項８に記載の防水機能付き灯管構造。
【請求項１０】
前記可塑性フィルムは、更に前記２つの灯管キャップの側壁面までを被覆し、
前記可塑性フィルムは、熱可塑性であって、熱源からの熱を受けて収縮し、前記中空の管体及び前記２つの灯管キャップの側壁面に対し密着するよう覆合されることを特徴とする請求項１に記載の防水機能付き灯管構造。
【考案の詳細な説明】
【技術分野】
【０００１】
本考案は、灯管構造に関し、特に防水機能が付いた灯管構造に関する。
【背景技術】
【０００２】
日常生活における照明は、必要不可欠な製品である。現在の照明は、電球および灯管が光源の大半を占めている。従来の灯管としては、蛍光管やハロゲン管が一般に用いられていた。発光ダイオード（Ｌｉｇｈｔ−Ｅｍｉｔｔｉｎｇ  Ｄｉｏｄｅ：ＬＥＤ）は、長寿命でかつ低消費電力であり、小型で耐衝撃性に優れているのでユーザーにとって安全である。このため、近年、光源として発光ダイオードを使用することが着々と普及しつつある。
【０００３】
また、現在では灯管の使用が普及しているが、一般的な灯管構造は防水機能を有していないので水蒸気や水に一旦晒されると損傷し易い。このため、防水機能の需要が高まっているので、発光効率を高めつつ防水機能を付与する開発がなされている。この分野における当業者であればより良い灯管を追求することが目標となっている。
【０００４】
従来のＬＥＤ灯管構造を開示する文献として下記の特許文献１がある。特許文献１に開示の灯管は、対設した一対のソケットを有する照明器具本体と、前記両ソケット間に装着される直管形蛍光灯と、前記蛍光灯の両端部に長手方向に移動可能に嵌合すると共に前記両ソケットのソケット本体に螺合して取付けられる略円筒状のカバーキャップと、前記蛍光灯の両端部に長手方向に移動可能に嵌合して前記キャップと前記蛍光灯の外周面との間に介装され、かつ、前記両キャップと同調して前進移動させる略円筒状の弾性防水パッキンとを備えている。上記両キャップに弾性防水パッキンが設けられていることにより防水機能を有する灯管を得ることができる。
【先行技術文献】
【特許文献】
【０００５】
【特許文献１】特開２０１３−２３５７７０号公報
【考案の概要】
【考案が解決しようとする課題】
【０００６】
しかしながら、従来の弾性防水パッキンだけでは必ずしも十分な防水機能を得ることができなかった。
【課題を解決するための手段】
【０００７】
そこで、上記問題を解決するために、本考案は、中空の管体と、光源板と、電源と、２つの灯管キャップと、可塑性フィルムとを備えることを特徴とする防水機能付き灯管構造を提案する。中空の管体は、長尺状をなし、且つ開口端を含み、この中空の管体内に光源板及び電源が設けられ、２つの灯管キャップはそれぞれ、前記中空の管体の両端に接合され、可塑性フィルムは中空の管体を被覆している。
【０００８】
上記防水機能付き灯管構造の好ましい実施形態では、前記可塑性フィルムは、熱可塑性であって、熱源からの熱を受けて収縮し、前記中空の管体に対し密着するよう覆合される。
【０００９】
上記防水機能付き灯管構造の好ましい実施形態では、前記２つの灯管キャップのうち、一方の前記灯管キャップは穴を備え、他方の前記灯管キャップは穴を備えていない。
【００１０】
上記防水機能付き灯管構造の好ましい実施形態では、前記穴は、前記灯管キャップの先端部分に開設されている。
【００１１】
上記防水機能付き灯管構造の好ましい実施形態では、更に、灯管構造が防水コネクタを含み、当該防水コネクタが前記穴を備える灯管キャップに連接される。
【００１２】
上記防水機能付き灯管構造の好ましい実施形態では、更に、前記中空の管体内に設けられる長尺の板材を含む。
【００１３】
上記防水機能付き灯管構造の好ましい実施形態では、前記長尺の板材は、アルミニウム製の板材を含む。
【００１４】
上記防水機能付き灯管構造の好ましい実施形態では、長尺の板材は、一方の側面に第１の溝体を備え、前記光源板は、前記第１の溝体に設けられ、前記光源板は複数の発光体を含む。
【００１５】
上記防水機能付き灯管構造の好ましい実施形態では、前記長尺の板材は、他方の側面に前記第１の溝体と離れた位置に設けられた第２の溝体を備え、前記電源は、前記第２の溝体に設けられる。
【００１６】
上記防水機能付き灯管構造の好ましい実施形態では、前記可塑性フィルムは、更に前記２つの灯管キャップの側壁面までを被覆し、前記可塑性フィルムは、熱可塑性であって、熱源の熱を受けて収縮し、前記中空の管体及び前記２つの灯管キャップの側壁面に対し密着するよう覆合される。
【考案の効果】
【００１７】
本考案の灯管構造においては、中空の管体及び灯管キャップの外側に可塑性フィルムが設けられ、この可塑性フィルムが熱収縮時に中空の管体及び灯管キャップに完全に密着する。灯管キャップ及び可塑性フィルムは、難燃性、防水性、環境保護性、断熱性、柔軟性等の特性が優れているため、本考案の灯管構造は、一般の灯管構造に比べて防水効果が優れている。
【図面の簡単な説明】
【００１８】
【図１】本考案の一実施形態の防水機能付き灯管構造の斜視図である。
【図２】本考案の一実施形態の防水機能付き灯管構造の分解斜視図である。
【図３】本考案の一実施形態の防水機能付き灯管構造の側面図である。
【図４】本考案の一実施形態の防水機能付き灯管構造の側面図である。
【考案を実施するための形態】
【００１９】
本明細書に開示された内容並びに実用新案登録請求の範囲及び図面を考慮することによって、この分野における通常の知識を有する者であれば、この考案に関連する目的及び利点を容易に理解することができる。
【００２０】
図１乃至図４を参照して、本考案で提供される防水機能付き灯管構造１は、中空の管体１０及び灯管キャップ２０とを含む。この灯管構造１は中空の管体１０と、光源板２２及び電源２３と、２つの灯管キャップ２０，３０と、可塑性フィルムとを有している。中空の管体１０は、長尺状をなし、且つ開口端１１，１２を含み、光源板２２及び電源２３は、中空の管体内に設けられ、２つの灯管キャップ２０，３０は、前記中空の管体の両端にそれぞれ接合されている。可塑性フィルムは、中空の管体１０及び２つの灯管キャップ２０，３０を被覆している。
【００２１】
中空の管体１０は、例えば、ポリカーボネート（ＰＣ：ｐｏｌｙｃａｒｂｏｎａｔｅ）等のプラスチック製の材料からなり、透光性を有するプラスチック材料で形成されることが好ましい。さらに、図１乃至図４の実施形態においては、中空の管体１０は、細長い形状で長さ方向に垂直な面における断面が円形であり、対向する２つの開口端１１，１２を有しているが、このような形態の中空の管体１０のみに限定されず、中空の管体10の断面形状は、楕円形、正方形又は長方形等の他の形状であってもよい。
【００２２】
光源板２２としては、本実施形態に限定されるものではなく、ＬＥＤランプ、ハロゲンランプ、赤外線ランプ等を適宜用いることができる。電源２３は、光源板２２に電力を共有するものである。光源板２２が光を放射すると、この光は中空の管体１０を介して外部から見ることができ、これにより照明効果を発揮する。
【００２３】
可塑性フィルム２５は、熱可塑性を有する。本実施形態においては、可塑性フィルム２５の外側層が架橋ＰＥ複合材であり、内側層がホットメルト接着剤である。可塑性フィルム２５は防水機能を有しているので、可塑性フィルム２５が熱源の熱を受けて収縮すると、中空の管体１０と接触し、これにより防水機能を発揮することができる。
【００２４】
本実施形態において、可塑性フィルム２５は熱可塑性であり、熱源からの熱によって収縮し、中空の管体１０と２つの灯管キャップ２０，３０の側面に密着する。
【００２５】
図２を参照して、本実施形態では、２つの灯管キャップ２０，３０のうち、一方の灯管キャップ２０は穴２１が形成され、他方の灯管キャップ３０は穴が形成されていない。穴２１は、灯管キャップ２０の先端部分に開設されている。穴２１を備える灯管キャップ２０に連接される防水機能を有する防水コネクタ４０を使用している。これにより灯管構造を完全かつ効果的に防水している。
【００２６】
図２を参照して、本実施形態では、灯管構造は、中空の管体１０内に設けられる長尺の板材２４を含む。この長尺の板材２４は、金属製であることが好ましく、放熱性及び防水機能を有している。この長尺の板材２４は、アルミニウム製の板材である。
【００２７】
本実施形態では、長尺の板材２４の一方の側面に第１の溝体２４１を備えており、光源板２２は、第１の溝体２４１に設けられ、光源板２２は複数の発光体を含む。本実施形態では、長尺の板材２４の他方の側面に第１の溝体２４１から離れた位置に設けられた第２の溝体２４２を備え、電源２３は、第２の溝体２４２に設けられる。光源版２２が光を発することにより、長尺の板材２４は熱を放散することができる。
【００２８】
以上の通り、本考案の防水機能付き灯管構造は、中空の管体１０及び灯管キャップの外側に熱可塑性を有する熱可塑性フィルム２５を設けているので、この熱可塑性フィルム２５が熱収縮することで中空の管体１０及び灯管キャップに完全に密着する。熱可塑性フィルム２５は、難燃性、防水性、環境保護性、断熱性、柔軟性等の特性が優れているので、本考案の灯管構造は、一般的な灯管より優れた防水機能を発揮することができる。
【００２９】
本考案は、本質的な技術的特徴又は精神を逸脱しない限りにおいて、他の実施形態によって当業者が実施し得ることもある。実用新案登録請求の範囲内又は本考案の範囲内におけるあらゆる変更は、本考案によってなされたものであることを意図している。
【符号の説明】
【００３０】
１    防水機能付き灯管構造
１０    中空の管体
１１    開口端
１２    開口端
２０    灯管キャップ
２１    穴
２２    光源板
２３    電源
２４    長尺の板材
２４１  第１の溝体
２４２  第２の溝体
２５    可塑性フィルム
３０    灯管キャップ
４０    防水コネクタ
【図１】
0003218340.tif 000003
【図２】
0003218340.tif 000004
【図３】
0003218340.tif 000005
【図４】
0003218340.tif 000006